(57)【要約】【課題】  記録された画像データを日付ごとに自動的に１つのグループにまとめて記録するビデオカメラにおいて、同じ日にカメラからのの画像の記録と外部入力からの画像の記録とを行った場合、１つのグループとして管理されるので、外部入力からの画像を検索しにくい。【解決手段】  所定の記録媒体に記録日の日付情報とともに画像データを記録し、前記画像データの日付情報を元に１日単位ごとに１つのグループのまとまりとして管理する画像管理方法において、前記記録する画像データの入力源検出するステップを設け、同一日に第１の入力源からの画像データと第２の入力源からの画像データを記録した場合、前記第１の入力源からの画像データは前記日付情報を元に第１のグループとして管理し、前記第２の入力源からの画像データは新規の第２のグループとして管理することを特徴とする。【選択図】  図１
2006092681.tif 000002
【特許請求の範囲】
【請求項１】
所定の記録媒体に画像データと共に前記画像データの記録日の日付情報を記録し、前記日付情報に基づき、前記画像データを日付単位のグループとして管理する画像管理方法であって、
複数の入力元からの画像データを入力するステップと、
前記入力された画像データの入力元を検出するステップとを設け、
同一日に第一の入力元からの画像データと第二の入力元からの画像データとを記録した場合、
前記第一の入力元からの画像データは現在の記録日の日付情報を元に第一のグループとして管理し、
前記第二の入力元からの画像データは前記第一のグループとは異なる第二のグループとして管理する画像管理方法。
【請求項２】
請求項１記載の画像管理方法において、
前記第二の入力元からの画像データを記録する際には、前記記録日の日付情報を入力するステップを設け、
前記ステップにより入力した日付情報を前記記録日の日付情報として前記画像データとともに記録する画像管理方法。
【請求項３】
請求項２記載の画像管理方法を採用したビデオカメラにおいて、
前記第一の入力元の画像データは撮像装置からの画像データであり、
前記第二の入力元の画像データは外部入力端子からの画像データであるビデオカメラ。
【請求項４】
所定の記録媒体に画像データと共に前記画像データの記録日の日付情報を記録し、前記日付情報に基づき、前記画像データを日付単位のグループとして管理する画像管理装置であって、
複数の入力元からの画像データを入力する入力手段と、
前記入力された画像データの入力元を検出する検出手段とを設け、
同一日に第一の入力元からの画像データと第ニの入力元からの画像データとを記録した場合、
前記第一の入力元からの画像データは現在の記録日の日付情報を元に第一のグループとして管理し、
前記第二の入力元からの画像データは前記第一のグループとは異なる第二のグループとして管理する画像管理装置。
【請求項５】
請求項４記載の画像管理装置において、
前記第二の入力元からの画像データを記録する際には、前記記録日の日付情報を入力する日付情報入力手段を設け、
前記日付情報入力手段により入力した日付情報を前記記録日の日付情報として前記画像データとともに記録する画像管理装置。
【請求項６】
請求項５記載の画像管理装置を採用したビデオカメラにおいて、
前記第一の入力元の画像データは撮像装置からの画像データであり、
前記第二の入力元の画像データは外部入力端子からの画像データであるビデオカメラ。
【請求項７】
複数の入力元から画像データを入力し、前記画像データと共に前記画像データの日付情報を記録する記録装置であって、
前記入力元を検出する検出手段と、
現在の日付情報を保持する現在日付情報保持手段と、を有し、
前記検出手段の検出に基づき、
第一の入力元からの画像データには前記現在日付情報保持手段からの日付情報を対応付け、
第二の入力元からの画像データには前記現在日付情報保持手段からの日付情報とは異なる日付情報を対応付ける記録装置。
【請求項８】
請求項７記載の記録装置であって、
前記第一の入力元からの画像データを前記現在日付情報保持手段からの日付情報に基づき、日付単位でグルーピングする記録装置。
【請求項９】
請求項８記載の記録装置であって、
表示手段に日付情報の入力を指示する画面を出力する出力手段と、
前記指示に従い日付を入力する操作手段と、を有し、
前記第二の入力元からの画像データには、ユーザが前記操作手段により入力する日付情報を対応付ける記録装置。
【請求項１０】
請求項９記載の記録装置であって、
光学像を映像信号に変換し画像データを取得するカメラ手段と、
外部装置より画像データを取得する外部入力手段と、を有し、
前記第一の入力元は前記カメラ手段であり、
前記第二の入力元は前記外部入力手段である記録装置。
【発明の詳細な説明】
【技術分野】
【０００１】
本発明は、撮影装置等から取得される画像データを管理するための方法、装置及びシステムに関する。
【背景技術】
【０００２】
近年、記録媒体及び記録技術の進歩に伴い、記録できるデータ量は増加し、記録媒体に記録される画像データ数も多くなっている。そのため、記録媒体中から所望の画像データをユーザーが探そうとした際、多大な労力を要する。特に、ビデオカメラでは少しの時間づつ頻繁に撮影・記録する場合が多く、撮影ごとに１つのグループの画像データとして管理すると画像データのグループ数が膨大になる。そこで、記録した画像データを、検索しやすいように整理し管理することが必要となっている。
【０００３】
検索性を考慮した従来技術として、デジタルカメラで撮影・記録された画像を、記録された日付ごとにグループにまとめて管理する撮影装置が提案されている（例えば、特許文献１参照）。
【０００４】
一方、過去にビデオテープ等の記録媒体に記録したアナログ画像を、ＤＶＤディスク等の記録媒体にダビングしてデジタル画像データとして残しておくということが行われている。その際、ＤＶＤディスク等へ記録された画像データの日付はダビングした日付となってしまい過去に記録した日付がわからなくなってしまうという問題があった。そのため、ダビング時に過去の日付情報に変更できることが要望されている。
【０００５】
ダビング時に日付情報を変更できる従来技術として、再生側の画像データから日付情報を抽出して記録側に送り、入手した日付情報を画像データとともに記録する編集システムが提案されている。さらに、この編集システムでは、日付情報が抽出できないときは外部から操作キーを使用して手入力で日付情報を入力できるようになっている（例えば、特許文献２参照）。
【０００６】
さらに、別の従来技術では、デジタル画像データ間でのダビングにおいては、ダビング元のデジタル画像データから日付情報を抽出し、ダビングによって記録されるデジタル画像データに、抽出した日付情報を付加することによって、ダビングによって記録されるデジタル画像データの日付を、ダビング元のデジタル画像データの記録を行った日付と同じ日付にするという方法が提案されている（例えば、特許文献３参照）。
【０００７】
【特許文献１】特開２００１−５４０４１号公報
【特許文献２】特開平６−３６５２３号公報
【特許文献３】特開２００１−９４９２１号公報
【発明の開示】
【発明が解決しようとする課題】
【０００８】
最近の撮影装置は現在の画像データを記録するだけではなく、過去に撮影・記録した画像データを外部入力端子を使用して、ＤＶＤディスクにダビングすることが行われている。このため、同じ日に撮像装置からの記録と外部入力端子からのダビング記録が行われる機会が増えてきた。ここで、撮像装置からの画像データと外部入力端子からの画像データはお互いが関係しないことが多いので別のグループとして管理することが望まれる。
【０００９】
しかしながら、上記特許文献１では、画像データの入力元について考慮されておらず、また、上記特許文献２及び３の従来技術では、画像データをグループ別に管理することについては配慮されていなかった。
【００１０】
以上のことから、撮像装置からの画像データとダビングした画像データの検索性を向上することが出来る画像管理方法及びシステムを提供することが本発明の目的である。
【課題を解決するための手段】
【００１１】
複数の入力元から画像データを入力し、画像データと共に画像データの日付情報を記録する記録装置であって、入力元を検出する検出手段と現在の日付情報を保持する現在日付情報保持手段とを有し、検出手段の検出に基づき第一の入力元からの画像データには現在日付情報保持手段からの日付情報を対応付け、第二の入力元からの画像データには現在日付情報保持手段からの日付情報とは異なる日付情報を対応付ける
【発明の効果】
【００１２】
本発明により、画像データの検索性を向上することができ、ユーザの使い勝手が向上する。
【発明を実施するための最良の形態】
【００１３】
以下、本発明の一実施例について図面を用いて詳細に説明する。
【００１４】
図１は本実施例によるカメラ一体型レコーダ（以下単にビデオカメラと記す）のブロック図であり、ビデオカメラの動作及び信号の流れの概要を説明する。尚、本実施例では、圧縮符号化フォーマットとして、ＭＰＥＧ（Ｍｏｖｉｎｇ Ｐｉｃｔｕｒｅ Ｅｘｐｅｒｔｓ Ｇｒｏｕｐ）フォーマットを用いているが、この方式に限ったものではなく別のフォーマットでも構わない。
【００１５】
図１において、１００は撮影した動画像や静止画像をデータ処理し圧縮した後デジタル記録するビデオカメラである。１０１はレンズ、ＣＣＤ（Ｃｈａｒｇｅ−Ｃｏｕｐｌｅｄ Ｄｅｖｉｃｅ）、画像処理回路を備えた撮像部であり、被写体からの光学像から所定の映像信号を生成する。本実施例においては、この撮像部１０１からの入力をカメラ入力という。１０２は、撮像部１０１で生成され、送られてきた映像信号をデジタル化し、ＭＰＥＧ方式によって圧縮符号化して画像データとしたり、記録媒体からの再生信号の復号化を行うデータ処理部である。１０３はデータ処理部１０２からの画像データを一時的に保持しておくメモリである。１０４は、メモリ１０３から送られてきた画像データを記録媒体へ記録したり、記録媒体から再生信号を読み取る記録再生部である。１０５は、画像データを記録するための記録媒体である。１０６は、ビデオカメラ１００全体及び各構成部を制御する制御部である。１０７は、撮像部１０１にて撮像された映像や、記録再生部１０４にて再生された映像、および外部機器から入力された映像や各種情報を表示する表示部である。１０８は、ユーザーの指示を入力する操作部である。１０９は、映像再生装置１１１等の外部機器から入力された映像信号を、データ処理部１０２や、表示部１０７へ供給するインターフェース部（外部入力端子）である。本実施例においては、このインターフェース部１０９から映像信号を入力することを外部入力という。１１０は、ビデオカメラ１００の内部において、現在日時を保持している現在日時情報保持部である。１１１は外部機器であり、映像を再生する映像再生装置である。
【００１６】
入力モードには、上述のようにカメラ入力モードと、外部入力モードがあり、操作部１０８によって切り替えを行うと、その指示が制御部１０６へ伝わり、制御部１０６によって撮像部１０１及びインターフェース部１０９が制御され、カメラ入力モード時には撮像部１０１からの映像信号をデータ処理部１０２及び表示部１０７へ送り、外部入力モード時にはインターフェース部１０９からの映像信号をデータ処理部１０２及び表示部１０７へ送るというように切り替えを行う。カメラ入力モード時には、撮像部１０１からの映像信号は、撮像部１０１からデータ処理部１０２へ送られ、デジタル画像データに変換され、ＭＰＥＧ方式によって圧縮符号化された後、メモリ１０３を介して記録再生部１０４に送られた後、記録再生部１０４にて記録媒体１０５への記録が行われる。また、外部入力モード時には、操作部１０８から外部入力モードの指示が出ており、制御部１０６で外部入力モードであると判断され、インターフェース部１０９から入力された映像信号は、データ処理部１０２へ送られ、デジタル画像データに変換され、ＭＰＥＧ方式によって圧縮された後、メモリ１０３を介して記録再生部１０４に送られた後、記録再生部１０４にて記録媒体１０５への記録が行われる。
【００１７】
次に、本実施例に関する画像管理方法の動作概要を説明する。本実施例では、１つの記録された画像データをシーンとし、シーンを１つのグループにまとめたものをプログラムとしている。また、プログラムにどのシーンが含まれるのかは、制御部１０６の制御により記録媒体１０５に記録する管理情報内のプログラムの範囲の情報により管理されている。
【００１８】
記録を開始する際、まず制御部１０６において入力モードがカメラ入力モードであるか、外部入力モードであるかを判断する。入力モードがカメラ入力モードであった場合は、現在日時情報保持部１１０に保持されている現在の日付を制御部１０６へ送る。また、記録媒体１０５に記録されている画像データの日付情報を記録再生部１０４を介して制御部１０６にて読み取る。現在日時情報保持部１１０に保持されている現在の日付と、記録媒体１０５に記録されている画像データの日付とで同じ日付があるか比較する。同じ日付があった場合は、撮像部１０１からの記録する画像データが記録媒体１０５に既に記録されている中の画像データ（シーン）と同じグループとなるように管理情報内のプログラムの範囲の情報を変更し、画像データの記録及び記録した画像データの日付情報の記録を行う。これにより記録した画像データを、記録媒体１０５に既に記録されていたシーンと同じ日のグループとすることができる。また、同じ日付がなかった場合は、撮影部１０１からの記録する画像データが記録媒体１０５に既に記録されているシーンと違う新規のグループとなるように新たに管理情報内のプログラム及びプログラムの範囲の情報を追加・記録し、画像データの記録及び記録した画像データの日付情報の記録を行う。これにより記録した画像データを、記録媒体１０５に既に記録されていたシーンと別の日のグループとすることができる。
【００１９】
入力モードが外部入力モードであった場合は、インタフェース部１０９からの記録する画像データが記録媒体１０５に既に記録されているシーンと別の新規のグループとなるように新たに管理情報内のプログラム及びプログラムの範囲の情報を追加・記録し、画像データの記録を開始するとともに表示部１０７に日付情報入力案内を表示する。その表示に従い、操作部１０８から日付を入力し、入力された日付を日付情報として、画像データと共に記録する。
【００２０】
この方法によって、外部入力モードにおいて記録した画像データは、カメラ入力モードによって記録した画像データと別のグループとなるので、同じ日に記録してもダビング画像はカメラ撮影画像と別グループとなり、画像データの検索性がよくなる。さらに、外部入力からの記録時の際には日付情報を入力するための情報が自動的に表示されるので、日付情報を入れ忘れる心配がなく、ユーザーはその表示に従い日付情報を入力できるので操作性よく日付情報も変えられるので検索性もよくできる。
【００２１】
次に、本実施例でのビデオカメラ１００で撮影され、圧縮符号化された画像データを記録媒体１０５に記録したときの記録データの構成について、図２を用いて説明する。記録データとは、画像データ以外に、記録された画像データがどういったグループのまとまりとして管理されているかという管理情報や、記録された画像データの日時情報を含むデータを示す。
【００２２】
記録データには、図２（ａ）、（ｂ）、（ｃ）に示すように、３種類のファイルがあり、それぞれが関連付けられて記録されている。図２（ａ）に示すプログラム情報ファイルは管理情報であり１つのプログラムとして扱うシーンの集まり（グループ）の範囲を示す情報２０１及びプログラムのタイトル情報２０２が格納されている。ここで、シーンとは、一回の記録開始から記録停止で記録される画像データのことである。図２（ｂ）に示す画像データファイルには記録した順番にシーンが格納されている。また、図２（ｃ）に示す日時情報ファイルには各シーンの日時情報が格納されている。
【００２３】
次に、本実施例のビデオカメラを用いた場合のデータ構成の生成動作について説明する。まず、何も記録されていない記録媒体に新しく記録を行う場合、カメラ入力モードにおける記録を行うと、画像データファイル２０３にシーン１が記録される。ここで、プログラムの範囲の情報２０１にはシーン１がプログラム１であるという情報が格納され、プログラムのタイトル情報２０２には、プログラム１のタイトルとして、シーン１の記録が開始された日付（２００４．７．８）が文字情報として格納される。各シーンの日付情報２０４にはシーン１の記録が行われた際の日付（２００４．７．８）及び時間情報（９：２４：１５〜９：２４：５５）が格納され、シーン１との関連づけがなされる。次にシーン１が記録された日と同じ日にもう一度カメラ入力モードにおける記録が行われると、記録の日付が同じなので、画像データファイル２０３にシーン２が記録され、プログラムの範囲の情報２０１にはシーン１からシーン２がプログラム１であるという情報が格納され、各シーンの日時情報２０４にはシーン２の記録が行われた際の日時情報（２００４．７．８  ９：４１：１１〜９：４２：１０）が格納され、シーン２との関連づけがなされる。
【００２４】
次に、シーン１及びシーン２が記録された日とは別の日にカメラ入力モード時における記録を行うと、画像データファイル２０３にシーン３が記録され、プログラムの範囲の情報２０１にはシーン３はプログラム２である、という情報が追記・格納され、プログラムのタイトル情報２０２には、プログラム２のタイトル情報として、シーン３の記録が開始された日付（２００４．７．９）が文字情報として格納される。また、各シーンの日時情報２０４にはシーン３の記録が行われた際の日時情報（２００４．７．９  ８：１３：３２〜８：１４：１１）が格納され、シーン３との関連づけがなされる。
【００２５】
次に、シーン３の記録と同じ日に外部入力モード時における記録を行うと、画像データファイル２０３にシーン４が記録され、その記録を行った日がシーン３の記録を行った日と同じであるか、異なっているかに関わらず、プログラムの範囲の情報２０１にはシーン４がプログラム３であるという情報が追記・格納され、プログラムのタイトル情報２０２には、プログラム３のタイトル情報として、ユーザーから入力された日付（２００３．１２．２５）が文字情報として格納される。また、各シーンの日時情報２０４にはユーザーから入力された日付情報（２００３．１２．２５）と、自動的に００：００：００から始まりシーン４の記録が終了するまでの時間情報（０：００：００〜０：０１：３３）が格納され、シーン４との関連づけがなされる。尚、ここで、ユーザーから日付情報だけでなく、記録開始の時間情報を入力するようにしても構わない。
【００２６】
このように、外部入力モードにおいて記録した画像データは、カメラ入力モードによって記録した画像データと別のグループとなるので、ダビング画像はカメラ撮影画像と別グループとなり、画像データの検索性がよくなる。具体的には、操作部１０８からの所定の操作で、プログラム名及びタイトル情報２０２を元にした日付情報の一覧を表示部１０７に表示させることができる。このため、ユーザーは表示部１０７でプログラムのタイトル情報を参照することにより、そのプログラムのシーンが実際に記録された日付を知り、希望のシーンをすばやく検索し視聴することができる。
【００２７】
次に、本実施例による画像データの管理方法の処理手順を説明する。
【００２８】
図３に、本実施例による外部入力モード時の記録処理手順のフローチャートの一実施例を示し、処理の流れを説明する。
【００２９】
ステップ３０１においてユーザーから操作部１０８を操作して記録開始の指示が出た後、ステップ３０２において現在の入力モードがカメラ入力モードか外部入力モードか、どちらであるかを制御部１０６が判断する。カメラ入力モードであれば、図４のステップ４０２に進み、以降、図４で説明する処理手順に従って記録が開始される。ステップ３０２において外部入力モードであった場合は、ステップ３０３において、現在新しく記録しようとしているシーンが新規プログラムとなるようにプログラムの範囲の情報２０１を追記・格納する。その後ステップ３０４において記録を開始し、さらに、表示部１０７に日付情報を入力するための情報を自動的に表示し、ユーザーに日付の入力を促す。次に、ステップ３０５においてユーザーから入力された日付情報を、新しく記録されるシーンの日付情報及び新しく記録されるシーンが所属する新規プログラムのタイトルの情報として、プログラムのタイトル情報２０２に格納する。ここで、ステップ３０４及びステップ３０５において、ユーザーからの日付情報の入力を待たずに、記録開始を先に行うのは、ユーザーからの記録開始指示が出た時点と、実際に記録が開始される時点の時間差をなくすためである。ステップ３０６においてユーザーから入力された日付情報と、自動的に発生させた０：００：００から始まる時間情報を各シーンの日時情報２０４に格納する。そして、ステップ３０７において、ユーザーから記録停止の指示が出た時点で画像データファイル２０３への記録を終了し、０：００：００からカウントしてきた終了の時間を各シーンの日時情報２０４に格納する。
【００３０】
ここで、記録を停止した時点でユーザーからの日付情報の入力がなければ、記録が行われた日の日時情報を現在日時情報保持部１１０から読み出し、各シーンの日時情報２０４に格納する。また、記録されたシーンが所属する新規プログラムのタイトルの情報としても、プログラムのタイトル情報２０２に格納する。
【００３１】
次に、図４に、図３のステップ３０２においてカメラ入力モードであった場合の記録の処理手順のフローチャートの一実施例を示し、処理の流れを説明する。
【００３２】
まず、ステップ４０２において、記録されている各シーンの日時情報２０４をそれぞれ読み取り、日付が最も新しいシーンの日付を特定し、さらにビデオカメラ１００の現在日時情報保持部１１０に保持している現在の日時情報を読み取り、ステップ４０３において最も新しいシーンの日付と比較する。ステップ４０３において両者の日付が同じ日付ならば、ステップ４０４において最も日付が新しいシーンが所属するプログラムにこれから新しく記録されるシーンが所属されるようにプログラムの範囲の情報２０１を変更する。その後、ステップ４０５において、新しく記録されるシーンの日時情報２０４に現在の日時情報を格納し、ステップ４０９において記録を開始する。ステップ４０３において両者の日付が異なっていれば、ステップ４０６において新しく記録されるシーンが新規プログラムとなるようにプログラムの範囲の情報２０１を追記・格納する。また、ステップ４０７においてビデオカメラ１００の現在日時情報保持部１１０に保持している日時情報を読み取り、新しく作成したプログラムのタイトルの情報２０２に現在の日付を格納し、ステップ４０８において現在の日時情報を各シーンの日時情報２０４に格納する。その後、ステップ４０９において記録を開始する。その後、ユーザーから記録停止の指示が出た時点で画像データファイル２０３への記録を終了し、記録終了時の現在の時間情報を各シーンの日時情報２０４に格納する。
【００３３】
尚、本実施例ではステップ４０３で比較するための記録されているシーンの日付情報を各シーンの日時情報２０４から読み出していたが、プログラムのタイトル情報２０２から読み出すようにしても構わない。
【００３４】
次に、図５に、図３のステップ３０４における、日付情報を入力するための情報を自動的に表示し、ユーザーに日付の入力を促す際の表示例を示す。外部入力モード時に記録開始の指示が出されると、記録を開始し、表示部１０７に、５０１のような日付の入力表示をすることによってユーザーに日付の入力を促す。ユーザーにより画面右下において日付の入力を行われると、入力された日付情報を、新しく記録されるシーンが所属するプログラムのタイトル情報２０２に格納する。
【００３５】
以上のように本実施例では、記録された画像データを日付ごとに自動的に１つのグループにまとめて記録するビデオカメラ１００において、記録を開始する際、画像データの入力源が何であるかを検出するステップを設け、外部入力モード時においては、外部入力端子からの画像データは別のグループとして記録する。それによって、同じ日に、カメラ撮影記録と、過去に撮影した日時情報を持たないアナログ画像のダビングとを行ったとしても、ダビングによって記録されたシーンを自動的に独立したプログラムとして管理することができる。また、日付情報を入力するための情報を自動的に表示し、ユーザーに日付の入力を促し、入力された日付情報を、そのシーンが所属するプログラムのタイトル情報及びそのシーンの日時情報に格納することによって、ダビングを行った際に、ダビング後の画像データの日付をダビング元アナログ画像データの記録を行った日付に変更する際の、ユーザーの操作を減らすことができる。
【００３６】
尚、本発明は本実施例における実施形態に限らず、様々な形で実施することができる。  例えば、本実施例ではカメラ一体型レコーダとして、ＤＶＤ記録型カメラを挙げたが、記録媒体はＤＶＤに限らず、テープ等の他の記録媒体を用いるカメラ一体型レコーダにおいても可能である。また、記録媒体は内蔵、外部、着脱自在のいずれでも構わない。
【００３７】
また、本実施例ではアナログ画像データのダビングを行う場合について説明したが、ダビング元の画像データがデジタル画像データであった場合、ダビング元のデジタル画像データ中の日時情報を自動的に抽出し、抽出した日時情報を画像データと共に記録する、というようにしてもよい。
【００３８】
また、外部入力モード時に記録を開始すると、自動的に新しいプログラムを作成するという処理を行うか否かは、メニュー等で、ユーザーが選択できるようにしてもよい。
【００３９】
また、表示部に画像データの各グループを表示する際には、入力元を示すフラグを表示することにより、ユーザは入力元が視覚的に把握でき検索性がさらに向上する。
【図面の簡単な説明】
【００４０】
【図１】本実施例によるカメラ一体型レコーダのブロック図。
【図２】カメラ一体型レコーダ１００で記録された記録データの概念。
【図３】本実施例による外部入力モード時の記録の処理手順のフローチャート。
【図４】本実施例によるカメラ入力モード時の記録の処理手順のフローチャート。
【図５】表示部において、ユーザーに日付の入力を促すための表示例を説明する図。
【符号の説明】
【００４１】
１００…カメラ一体型レコーダ、１０１…撮像部、１０２…データ処理部、
１０３…メモリ、１０４…記録再生部、１０５…記録媒体、１０６…制御部、
１０７…表示部、１０８…操作部、１０９…インターフェース部、
１１０…現在日時情報保持部、１１１…映像再生装置
２０１…プログラムの範囲の情報、２０２…プログラムのタイトル情報、
２０３…シーン、２０４…各シーンの日時情報、
５０１…日付の入力表示。
【図１】
2006092681.tif 000003
【図２】
2006092681.tif 000004
【図３】
2006092681.tif 000005
【図４】
2006092681.tif 000006
【図５】
2006092681.tif 000007